【事件の表示】
　平成　４年特許願第１７３００２号「光ディスクの記録装置」拒絶査定に対する審判事件［平成　６年　１月２１日出願公開、特開平　６−　１２７７４］について、次のとおり審決する。
【結　論】
　本件審判の請求は、成り立たない。
【理　由】
１ 手続の経緯、本願発明
　本願は、平成４年６月３０日の出願であって、その請求項１〜３に係る発明は、原審において補正された明細書及び図面の記載からみて、その特許請求の範囲の請求項１〜３に記載されたとおりの「光ディスク記録装置」にあるものと認められるところ、その請求項１に記載された発明は次のとおりである。
　「【請求項１】光ディスクを収納したディスクカートリッジが挿入されるディスクホルダと、
　上記ディスクホルダによって装着位置に移動されたディスクカートリッジ内の光ディスクの一方の面側に配される光学ピックアップと、
　上記装着位置に移動されたディスクカートリッジ内の光ディスクを挟んで該光ディスクの他方の面側に配される外部磁界を印加する磁気ヘッドと、
　上記磁気ヘッドが設けられ、該磁気ヘッドを上記光ディスクに接触させる位置と上記光ディスクから離間した位置との間を移動させる磁気ヘッド支持アームと、
　上記磁気ヘッド支持アームを上記磁気ヘッドが上記離間した位置に保持する保持部と、
　上記装着位置に移動されたディスクカートリッジによって操作され、上記ディスクカートリッジに収納された光ディスクに対して記録可能であるか否かを検出する検出スイッチと、
　上記保持部による上記磁気ヘッド支持アームの保持を解除する保持解除部とを備え、
　上記保持解除部は、記録開始スイッチが操作され、且つ上記検出スイッチによって上記光ディスクに対して記録可能であると検出されたときに、上記保持部による上記磁気ヘッド支持アームの保持を解除し、上記磁気ヘッド支持アームを移動させて上記磁気ヘッドを上記接触位置に移動させる光ディスクの記録装置。」(以下、「本願発明」という。)
　　
２ 引用刊行物に記載された発明
　原査定の拒絶の理由に引用された特開昭６２−６７７５１号公報（以下、「引用刊行物」という。)には、光磁気ディスク及び光ディスクのいずれに対しても所定の装着状態に設定できるようにした「光学式記録再生装置」に関する発明について、次の事項が記載されている。
　(ａ) 「特許請求の範囲」(第１頁左下欄)において
　 「光磁気方式の記録媒体に対して光学的に記録又は消去を行うのに必要な磁界印加手段を備え、光学式に記録、再生、消去のいずれかを行うことのできる光学式記録再生装置において、
　　光磁気方式の記録媒体が装着される場合と、光磁気方式以外の記録媒体が装着される場合とを識別するために各記録媒体が収納されたカートリッジに設けた記録媒体識別用手段により、カートリッジが挿入される経路途中で前記磁界印加手段の退避を制御する手段を形成したことを特徴とする光学式記録再生装置。」
　(ｂ) 第２頁右上欄１４〜１９行において
　 「本発明では、ディスクを収納したディスクカートリッジの一部に、光磁気ディスクと光磁気ディスク以外のディスクとの判別用手段を設け、この判別用手段によって界磁コイルの昇降を制御し、いずれのディスクに対しても所定の装着状態に設定できるようにしている。」
　(ｃ) 第２頁左下欄１５行〜同右下欄１０行において
　 「第１実施例の光学的記録再生装置21における光学系は第２図に示すようになっている。
　　即ち、スピンドルモータ22によって駆動されるターンテーブル23には光ディスク24Ａ又は光磁気ディスク24Ｂを載置できるようにしてある。(両者を単にディスク24と総称する。)上記ターンテーブル23に載置されたディスク24は上部側から昇降自在となるクランプ部材25によって、回動自在にクランプされるようにしてある。
　　上記ディスク24の一方の面に対向して、(光学式)ピックアップ26が設けてあり、このピックアップ26は可動台としてのキャリッジ27に固定してあり、このキャリッジ27は図示しないボイスコイルモータ等でディスク24の半径方向Ｒに移動できるようにしてある。」
　(ｄ) 第４頁右上欄４〜１９行において
　 「ところで第１実施例の記録再生装置21においては、光磁気ディスク24Ｂを装着して再生はもとより記録、消去を行い得るように、例えば第１図に示すような磁界印加部材61が設けてある。即ち、横断面が略Ｅ字状の界磁ヨーク62にはコイル63を巻回して界磁コイル64が形成されている。上記ヨーク62の上面にはヨーク固定部材65が取付けられ、このヨーク固定部材65にはヨーク62の長手方向と直交する方向に突出する１対のレバー66ａ,66ａが一体成形されており、両レバー 66ａ,66ａの先端には回転自在の軸67が取付けてある。
　　上記軸67にはコイルばね68が巻き付けてあり、このコイルばね68によって、軸67に対し、界磁コイル64側が下方に回動される方向Ａの回転力が作用するように付勢している。」
　(ｅ) 第４頁左下欄２行〜同右下欄１８行において
　 「ところで、第１実施例においては、光ディスク24Ａ又は光磁気ディスク24Ｂのいずれも装着できる手段が設けてある。
　　即ち、上記１対のレバー66ａ,66ａの直ぐ下の部分でディスク24を収納したディスクカートリッジ69を挿入するための案内部材としてのカートリッジホルダ70の上部面に、これらレバー66ａ,66ａの長手方向と直交する水平方向つまりディスク24を装着するためにディスク24が挿入移動される方向にレバー71が設けてあり、このレバー71はばね72によって、弾性的に保持され、この弾性力に抗する力でディスク24が挿入される方向Ｂに沿って移動できるようにしてある。
　　上記レバー71には長手方向の側部が直角上方に立設するように屈曲されて屈曲立設部73が設けられ、且つこの屈曲立設部73上端部で、高さの高い高端部74Ａと低い低端部74Ｂとが形成されている。又、上記レバー71の後端(第１図では左側の端部)は段差状に下方に折り曲げてディスク判別用係入片75が設けてある。この係入片75は、カートリッジホルダ69の上面より下側に突出して、ディスクカートリッジ68の挿入案内路上(の上部寄りの位置)に臨むようにしてある。(第６図参照)
　　上記界磁コイル64を支持するレバー66ａ,66ａは通常は第１図に示すようにレバー71の低端部74Ｂに当接して界磁コイル64は低い角度位置で回動保持されている。一方、上記レバー71が(例えば係入片75を押圧する等して)ばね72の付勢力に抗して、矢印Ｃで示すように移動されると、各レバー 66ａ,66ａは低端部74Ｂから傾斜部を通って高端部74Ａに当接して支持されることになり、この状態では界磁コイル64は上部側に回動され、厚さの大きい光ディスク24Ａを挿入した場合に、界磁コイル64が挿入を阻げることがないようにしてある。」
　(ｆ) 第５頁左上欄２行〜同右上欄７行において
　 「上記ディスクカートリッジ69は第１図(Ａ)又は(Ｂ)に示すように光ディスク24Ａを収納したディスクカートリッジ69Ａあるいは光磁気ディスク24Ｂを収納したディスクカートリッジ69Ｂには、記録再生装置21に装着する場合の先端側となる部分で(挿入の際の)上記レバー71の係入片75と対向する部分にそれぞれディスク24Ａ，24Ｂを判別するための溝部(凹部)82Ａ，82Ｂが設けてある。
　　上記光ディスク24Ａを収納したディスクカートリッジ69Ａにおいては、上記溝部82Ａの長さは短く、一方光磁気ディスク24Ｂを収納したディスクカートリッジ69Ｂでは溝部82Ｂの長さは長く形成してある。従って、上記ディスクカートリッジ69Ａ又は69Ｂを記録再生装置21に装着して記録、再生等を行うにめにディスク力ートリッジ用挿入口を経て挿入していくと、ディスクカートリッジ69Ａでは溝部82Ａの長さが短いため、正規の挿入位置まで挿入していく途中で、レバー71の係入片75は溝部82Ａを移動して、最深部の壁面に当たり、レバー71を押圧して該レバー71を移動する。この移動によって、１対のレバー66ａ,66ａはレバー71の低端部74Ｂで支持された状態から斜辺部を通り、高端部74Ａで支持される状態となり、界磁コイル64は上方に回動退避される。」
　(ｇ) 第５頁右上欄１８行〜同左下欄１７行において
　　「一方、ディスクカートリッジ69Ｂの場合には、長い溝部82Ｂが設けてあるので、このデイスクカートリッジ69Ｂをカートリッジホルダ70に挿入した場合、所定の挿入位置まで挿入しても、レバー71の係入片75は溝部82Ｂ内にあり、レバー71は移動されない状態に保持される。つまり１対のレバー66ａ,66ａはレバー71の低端部74Ｂで支持される状態に保持されることになる。しかして、正規の挿入位置まで挿入されると、ディスクカートリッジ69Ｂはカートリッジホルダ70と共に下方に移動され、下降した際に一対のレバー66ａ,66ａに架設した軸67に対してレバー66ａ,66ａを支持する低端部74Ｂの高さが下降するため、前記軸67を回転中心として界磁コイル64は回動して下降し、第８図に示すように界磁コイル64が光磁気ディスク24Ｂに近接する所定の装着状態に設定され、光磁気ディスク24Ｂに対して記録あるいは消去に必要な磁界を印加できる状態に設定できる。」
　(ｈ) 第７頁左上欄２〜８行において
　　「尚、上記第１実施例においては、レバー71の移動によって、界磁コイル64を上方に回動退避できるようにしてあるが、これに限定されるものでない。例えば、ディスクカートリッジ68Ａにバーコード等を設け、このバーコードを読み取って、ソレノイド等に電流を流して界磁コイル64を回動退避させても良い。」
　(ｉ) 第７頁左上欄９〜１７行において
　　「尚、本発明は界磁印加手段としての界磁コイル64が設けられている光磁気ディスク24Ｂと、磁界印加手段を必要としない光ディスク24Ａを例に説明してあり、この光ディスク24Ａとしては磁界印加手段を必要としないものであれば、その記録、再生、消去の方式については特に限定されるものでなく、任意の方式のものに適用できる。又、本発明は光ディスク24Ａが光ディスク24Ｂより厚いものに限定されるものでない。」
　　
　上記記載事項(ｅ)〜(ｇ)をみれば、レバー(71)は、高端部(74A)及び低端部(74B)が形成された屈曲立設部(73)と、ディスク判別用係入片(75)とを有し、且つばね(72)によって弾性的に保持されており、またディスクカートリッジ(69)には該ディスクカートリッジに収納されているディスク(24)が界磁コイル(64)を必要とするものであるか否かを識別するための長さの異なる溝部(82A又は82B)が設けられており、前記レバー(71)は前記溝部の長短に応じてディスク(24)の挿入方向(B)に沿って移動されて、界磁コイル(64)を選択的に回動退避させるものである。さらに、上記記載事項(ｈ)をみれば、ディスクカートリッジ(69A)に設けられたバーコード等を読み取って、ソレノイド等に電流を流して界磁コイル(64)を回動退避させることについても開示されている。してみれば、この引用刊行物に記載された光学式記録再生装置は、ディスクカートリッジに収納されているディスクが光磁気方式のものであるか否かを識別する識別手段と、前記ディスクが光磁気方式のものでないとき界磁コイル(64)を回動退避させる退避手段を備えているものである。
　したがって、上記記載事項(ａ)〜(ｉ)、及び第１,２，６〜７図をみれば、上記引用刊行物には以下の発明が記載されていることになる。
　「光磁気方式又はそれ以外の光学式のディスク(24B又は24A)を収納したディスクカートリッジ(69B又は69A)が挿入されるカートリッジホルダ(70)と、
　上記カートリッジホルダ(70)によって装着位置に移動されたディスクカートリッジ(69)内のディスク(24)の一方の面側に配される光学式ピックアップ(26)と、
　上記装着位置に移動されたディスクカートリッジ(69)内のディスク(24)を挟んで該ディスクの他方の面側に配される外部磁界を印加する界磁コイル(64)と、
　上記界磁コイル(64)が設けられ、上記ディスク(24)に対して必要な磁界を印加できるように該界磁コイルを該ディスクに近接した位置と該ディスクから離間した位置との間を移動させる１対のレバー(66a,66a)と、
　上記１対のレバー(66a,66a)を上記界磁コイル(64)が上記近接する方向に回動付勢するコイルばね(68)と、
　上記ディスクカートリッジ(69)によって操作され、該ディスクカートリッジに収納された上記ディスク(24)が光磁気方式のものであるか否かを識別する識別手段と、
　上記コイルばね(68)による上記１対のレバー(66a,66a)の回動付勢に抗して上記界磁コイル(64)を回動退避させる退避手段とを備え、
　上記退避手段は、上記識別手段によって上記ディスク(24)が光磁気方式のものであると識別されたとき、上記コイルばね(68)による回動付勢により上記１対のレバー(66a,66a)を移動させて、上記界磁コイル(64)を上記近接した位置に移動させると共に、該ディスクが光磁気方式以外のものであると識別されたとき、該コイルばねによる回動付勢に抗して該１対のレバーを移動させて該界磁コイルを回動退避させる光学式記録再生装置。」（以下、「引用刊行物の発明」という。）
　　
３ 対　比
　そこで、本願発明（前者）と引用刊行物の発明（後者）とを比較すると、後者における「光磁気方式又はそれ以外の光学式のディスク」、「カートリッジホルダ」、「光学式ピックアップ」、「界磁コイル」、「１対のレバー」及び「光学式記録再生装置」は、それぞれ前者における「光ディスク」、「ディスクホルダ」、「光学ピックアップ」、「磁気ヘッド」、「磁気ヘッド支持アーム」及び「光ディスクの記録装置」に相当するものであるから、両者は以下の一致点及び相違点を有する。
　[一致点]
　「光ディスクを収納したディスクカートリッジが挿入されるディスクホルダと、
　上記ディスクホルダによって装着位置に移動されたディスクカートリッジ内の光ディスクの一方の面側に配される光学ピックアップと、
　上記装着位置に移動されたディスクカートリッジ内の光ディスクを挟んで該光ディスクの他方の面側に配される外部磁界を印加する磁気ヘッドと、
　上記磁気ヘッドが設けられ、該磁気ヘッドを上記光ディスクに接近した位置と上記光ディスクから離間した位置との間を移動させる磁気ヘッド支持アームと、
　上記磁気ヘッドが上記光ディスクに接近した位置とこれから離間した位置に移動されるように、上記磁気ヘッド支持アームを移動させる支持アーム移動機構と、
　上記ディスクカートリッジによって操作され、上記ディスクカートリッジに収納された光ディスクに対して上記磁気ヘッドを用いる必要があるか否かを判別する光ディスク判別手段とを備え、
　上記支持アーム移動機構は、上記光ディスク判別手段によって上記光ディスクに対して上記磁気ヘッドを用いる必要があると判別されたときに、上記磁気ヘッド支持アームを移動させて上記磁気ヘッドを上記光ディスクに接近した位置に移動させる光ディスクの記録装置。」
　[相違点]
　(i) 磁気ヘッド支持アームによって移動される磁気ヘッドの光ディスクに接近した位置が、前者においては、磁気ヘッドを光ディスクに接触させる位置であるのに対して、後者では、光ディスクに対して必要な磁界を印加できるように磁気ヘッドを光ディスクに近接した位置である点。
　(ii) 光ディスク判別手段が、前者においては、装着位置に移動されたディスクカートリッジによって操作され、上記ディスクカートリッジに収納された光ディスクに対して記録可能であるか否かを検出する検出スイッチであるのに対して、後者では、ディスクカートリッジによって操作され、該ディスクカートリッジに収納された光ディスクが光磁気方式のものであるか否かを識別する識別手段である点。
　(iii) 支持アーム移動機構が、前者においては、磁気ヘッド支持アームを磁気ヘッドが離間した位置に保持する保持部と、該保持部による該磁気ヘッド支持アームの保持を解除する保持解除部とからなり、該保持解除部は、記録開始スイッチが操作され、且つ検出スイッチによって該光ディスクに対して記録可能であると検出されたときに、該保持部による該磁気ヘッド支持アームの保持を解除し、該磁気ヘッド支持アームを移動させて該磁気ヘッドを接触位置に移動させるのに対して、後者では、磁気ヘッド支持アームを磁気ヘッドが光ディスクに近接する方向に回動付勢するコイルばねと、該コイルばねによる該磁気ヘッド支持アームの回動付勢に抗して該磁気ヘッドを回動退避させる退避手段とからなり、該退避手段は、識別手段によって該光ディスクが光磁気方式のものであると識別されたとき、該コイルばねによる回動付勢により該磁気ヘッド支持アームを移動させて、該磁気ヘッドを近接した位置に移動させる点。
　　
４ 当審の判断
　以下、上記相違点(i)〜(iii)について検討する。
　光磁気記録を含む光ディスクの記録再生装置において、光ディスクに情報を記録するとき、磁気ヘッドを該光ディスクに接触させて行うことは、従来から周知の技術的事項であり（例えば、特開平２−２２７８１２号公報、及び特開平３−５４７８０号公報参照）、また光ディスク判別手段が、装着位置に移動されたディスクカートリッジによって操作され、該ディスクカートリッジに収納された光ディスクに対して記録可能であるか否かを検出する検出スイッチから構成されることは、例えば、「誤消去防止」や「ディスク種別の判別」に関する技術手段にみられるように（例えば、特開平２−２６７７８８号公報、特開平３−２２４１８４号公報参照）、従来から周知の技術的事項である。
　また、アームの一端に取付けた部品等を該アームの移動により二つの位置の間で移動させるアーム移動機構において、該アームを移動する手段を、該アームを所定の位置に保持する保持部と、該保持部による保持を解除する解除部とから構成することは、格別の技術的事項ではなく、必要に応じて適宜実施することができる設計的事項である。
　さらに、光ディスクの記録再生装置において、光ディスクに情報を記録するときのみ、磁気ヘッドを該光ディスクに接近させることは従来から周知の技術的事項である（例えば、特開平４−１３２５４号公報参照）から、磁気ヘッドを光ディスクに接近させる条件として、記録開始スイッチが操作されること、及び光ディスクが記録可能であることの両方の条件を設定して、該磁気ヘッドを必要とするときだけ該光ディスクに接近させることは、当業者であれば必要に応じて適宜なし得た事項である。
　そして、引用刊行物の発明に対し上記周知の技術的事項を適用して、本願発明のように構成することに格別の困難性は認められない。
　しかも、本願発明を全体的にみても、上記引用刊行物の発明及び周知の技術的事項から当業者が当然予測できる範囲を超える格別の作用・効果を見出すことができない。
　　
５ むすび
　以上のとおりであって、本願発明は、引用刊行物の発明に基づいて、当業者が容易に発明をすることができたものであるから、特許法第２９条第２項の規定により特許を受けることができない。
　よって、結論のとおり審決する。